(57)【要約】【課題】アルミサッシガラス戸などにおいて、ハンドルによる開閉操作によって戸の施錠・開錠を可能とする。【解決手段】端面に戸口縦枠側掛け金に掛止する鎌金３を備えた戸側施錠装置において、掛止位置と中立位置との間で回動可能な鎌金に対し、ハンドル１と連動するアーム２２先端のフォーク２３がロックボルト３３を駆動して鎌金を掛止位置に回動させる。該掛止方向に向かうハンドルのレバースプリング１１の反発力を鎌金の復帰スプリング３１の反発力より大として施錠状態を維持する。鎌金に対するロックレバー３５にその開放位置に復帰させるスプリング３６を設け、トリガー４の押し込み動作によりロックレバーを押圧してその開放位置に移動することにより施錠可能とし、ハンドルを戸の開方向に操作することにより、フォークをロックボルトから離して鎌金を中立位置に復帰させ、ロックレバーによりその位置にロックすることにより、戸の開放が可能となる。【選択図】図１
2005097866.tif 000002
【特許請求の範囲】
【請求項１】
本発明は、戸や窓の框側端面に戸口縦枠側掛け金に掛止する鎌金を備えた戸側施錠装置において、
掛止位置と中立位置との間で回動可能な鎌金に対し、回動するハンドルと連動して中立位置から掛止位置に駆動する機構を設け、該掛止位置に向かうハンドルの復帰スプリングの反発力を鎌金の復帰スプリングの反発力よりも大とし、
中立位置にある鎌金と当接する位置と開放する位置との間で移動するロックレバーにその開放位置に復帰させるスプリングを設け、
戸先側框端面に突出したトリガーの押し込み動作によりロックレバーを押圧してその開放位置に移動するようにしてなる、ハンドル操作による施錠装置。
【請求項２】
上記ハンドルをレバーハンドルとし、これと共に回動するプッシャーローラーを備えたプッシャーを設けてなることを特徴とする、請求項１記載のハンドル操作による施錠装置。
【発明の詳細な説明】
【技術分野】
【０００１】
本発明は、アルミサッシ製の引戸などの施錠及び開錠を行う機構に関する。
【背景技術】
【０００２】
近年アルミサッシからなるガラス戸が普及し、家屋の庭に面する箇所では敷居から床までの高さで広く開放できる引戸形式などのガラス戸が広く用いられるようになってきている。
これらのガラス戸は、室内から庭に向けて広く開放でき、採光面でも優れているが、防犯装置として引き戸形式の戸同士を固定する、或いは戸口などの縦枠との間で固定するなどの施錠装置が主であった。
これらの施錠装置は、玄関のドアなどのように外部から施錠することは必要とされない場合が多く、戸同士、或いは戸と戸口縦枠の間で内部から施錠・開錠操作を行うクレセントなどが一般であった。この場合、クレセントを回動して開錠してから戸をスライドさせて開放し、また、戸を閉める場合はその逆の手順によって施錠するが、戸の開け閉めは戸の引手などに手をかけてスライド操作を行うため、戸の開閉操作に際して施錠・開錠操作を別に行う必要があり、煩瑣であった。
このため、クレセントに大型のハンドルを設けて、引戸の開閉操作の取手（引手）を兼ねることが行われている。
【特許文献１】特開平１０−９６３５９号公報
【０００３】
この様なハンドルを兼ねる施錠形式は、戸の開閉操作と同時に行うため、鍵の掛け忘れなどがなく便利であるが、ロック機構を閉じた状態のまま戸を閉めたりするとクレセントの構造上、掛け金に衝突して損傷することとなった。
また、最近ガラス戸に省エネルギーのため二重ガラスが用いられるようになると、サッシ枠全体の厚みが大きくなり、同時にシール機構なども強化されるため一枚あたりの戸の重量はすこぶる重いものとなった。
このため、戸の開閉操作にも力を要するようになり、子供や老齢者には操作が困難となった。特に、開閉の初期動作では静摩擦のためとシールなどの密着性のために大きな力が必要であった。
これに対して、ハンドルを大型化して掴みやすくすると共に、ハンドルを一定角度回動するようにし、その回動操作と連動して戸の開閉操作の初動時に梃子の作用をするローラ付プッシャーによって縦枠を押して戸を起動させることが工夫された。
【特許文献２】特許第３４４２５６６号公報
【０００４】
特許文献２記載の引戸はその例であるが、このプッシャーの作用により一旦戸が動き出せば、その後のガラス戸のスライド移動は動摩擦となるため、力を要せず軽い操作で行うことができる。
ところで、これらのハンドルにクレセントタイプの錠止機構を組み込もうとすると、戸の開閉操作のためのハンドル位置とクレセントの錠止構造から、ハンドルは大きな回動角度が必要となり、また、上記したような掛け金との衝突による損傷は戸が重くなるため一層懸念される。
一方、従来より引戸形式の戸に広く用いられている鎌金若しくは鎌片と呼ばれるロック機構を用いた施錠装置では、戸を閉じると同時にトリガーが戸口縦枠などに当接して、鎌金が回動して戸口縦枠側の掛止金具に掛け止めされることにより、自動的に仮施錠する機構が用いられている。
【特許文献３】特開平１０−１３１５７５号公報
【特許文献４】特開平１０−２３８１８８号公報
【特許文献５】特開２００２−２２０９５５号公報
【０００５】
上記特許文献３〜５に記載のものはいずれもそれらの例であって、引戸を閉じて戸口縦枠に引戸の戸先側端面が当接すると同時にいわば自動的に施錠若しくは仮施錠されるが、開錠する場合には別途開錠装置を操作しなければならない。
また、これらの施錠構造は、従来から比較的軽量な引戸を対象とするため、引戸の枠や引手に手を掛けて開閉操作することが一般である。このような引戸構造では施錠・開錠操作を引戸の開閉操作と別個に行う必要があり、施錠操作を忘れるおそれがあるなど近年の防犯上の問題に対して、十分対処できるものとはいえない。
【発明の開示】
【発明が解決しようとする課題】
【０００６】
本発明は、アルミサッシガラス戸などの施錠・開錠操作をハンドルによる戸の開閉操作のみで確実に行い、格別の施錠・開錠操作を不要とすると共に、これらの施錠のし忘れなどを防止することができる、ハンドル操作による施錠装置を提供する。
【課題を解決するための手段】
【０００７】
本発明は、戸や窓の框側端面に戸口縦枠側掛け金に掛止する鎌金を備えた戸側施錠装置において、
掛止位置と中立位置との間で回動可能な鎌金に対し、回動するハンドルと連動して中立位置から掛止位置に駆動する機構を設け、該掛止位置に向かうハンドルの復帰スプリングの反発力を鎌金の復帰スプリングの反発力よりも大とし、
中立位置にある鎌金と当接する位置と開放する位置との間で移動するロックレバーにその開放位置に復帰させるスプリングを設け、
戸先側框端面に突出したトリガーの押し込み動作によりロックレバーを押圧してその開放位置に移動するようにしてなる、ハンドル操作による施錠装置であり、
また、近年の二重ガラス戸などの重量のある引戸に対して、上記ハンドルをレバーハンドルとし、これと共に回動するプッシャーローラーを備えたプッシャーを設けてなるものである。
【発明の効果】
【０００８】
本発明の施錠装置を備えたハンドルは、アルミサッシ製引戸などの戸を開閉する際の一連のハンドルの操作のみで施錠・開錠が行うことができるため、これらの操作が簡単であるのみでなく、格別に意識することなく確実に施錠することができ、外出時などに予め施錠することを忘れることがない。
【発明を実施するための最良の形態】
【０００９】
図１は、本発明に施錠機構を引戸のレバーハンドルに適用した１例で、
引戸形式のサッシ戸の戸先側縦框の室内側側面に設けた錠ケース５と錠ケースから室内側に突出したレバーハンドル１を室内側から見た正面図を示す。
レバーハンドル１は、戸を開くために図の右方向に力を加えて傾動した状態にあり、レバーハンドルと共通の回転軸１０に固定されたプッシャー２がレバーハンドルと共に回動して錠ケース框側端面から戸口縦枠側に向けて突出している。サッシ戸をさらに広く開放するにはレバーハンドルをそのまま図の右方向に押しやってサッシ戸を移動すれば良く、レバーハンドルにはレバースプリング１１の反発力が作用した状態にある。
この状態では施錠機構の鎌金３は中立位置にあり、錠スプリング３１の作用により鎌金回動軸３０の廻りに回転してストッパー３２によりその中立位置を保持する。
【００１０】
この状態からレバーハンドルを放すと、強く引き伸ばされていたレバースプリングの反発力によりレバーハンドルは反時計廻りに回動し、レバーハンドルと連動するプッシャー２の反対側に延長して設けられたアーム２２の先端のフォーク２３が鎌金３のロックボルト３３に当接してレバースプリングの反発力を伝える。
これに対して、ロックレバー３５がロックレバースプリングの反発力によりトリガー４を錠ケース５戸先側端面から押し出して突出させると共に、トリガーが案内長孔４１にガイドされてガイドピン４２により図示されるロック位置に保持されるため、鎌金はその一端に当接してその回転動作を阻止される。
したがって、レバーハンドルはレバースプリングの反発力を受けても鎌金のロック位置から先に回動することができず、力を加えてもその中立位置を保持する。
【００１１】
サッシ戸を閉めて施錠する場合は、図２の中立位置に保持されているレバーハンドルを？んで、サッシ戸を図の左方向に移動して戸口縦枠に当接すれば、トリガー４が該縦枠端面に押し当てられることによって錠ケース内に押し込まれ、ロックレバー３５が反時計回りに回動して鎌金のロック状態を開放し、レバーハンドルに加えられている力とレバースプリングの反発力がアーム２２先端のフォーク２３からロックボルト３３を介して伝えられ、鎌金が反時計回りに回転して錠ケース戸先側端面から突出し、図３に示すように戸口縦枠側の掛け金（図示せず。）に掛け止めされる。
このとき鎌金に加わる力は、錠スプリング３１の反発力とロックボルトを介して伝えられるレバースプリング１１の反発力及びレバーハンドルの操作力であるが、錠スプリングの反発力はレバースプリングの反発力よりも小さく調整してあるため、鎌金はその掛止位置まで回動すると共に、レバーハンドルを操作しない限りその位置を保持し、サッシ戸は施錠された状態を保つことができる（図３）。
【００１２】
図３に示す施錠された状態からサッシ戸を開放するには、レバーハンドルを？んで、図の右方向戸尻側に押せば、レバーハンドルは時計回りに傾動してレバーハンドルと連動するアーム２２先端のフォーク２３がロックボルト３３から離れ、レバースプリングの反発力から開放された鎌金はその錠スプリングの作用で時計回りに回動して掛け金から外れて開錠され、サッシ戸の移動を自由に行うことができるようになる。
図の例では、レバーハンドルと連動するプッシャー２が設けられており、レバーハンドルを操作することによって、プッシャー先端のプッシャーローラーが錠ケース戸先側端面から突出して戸口の縦枠端面を押しやり、その梃子の効果によりサッシ戸を移動する動作を起動させる。
【００１３】
図４は、本発明の施錠機構をレバーハンドル中立位置において示す図２のＣ−Ｃ矢視図（部分切断図）である。
また、図５及び６はそれぞれ同図におけるＢ−Ｂ矢視図、及びＡ−Ａ矢視図であって、図中各構成要素に対しては同一符号を使用している。
以上の説明によって明らかなように、本発明においては戸先側端面に設けた鎌金を戸口縦枠側掛け金に掛け止めして施錠するが、鎌金の掛け止め操作が常にレバースプリングの反発力＞錠スプリングの反発力、の下でなされるため、サッシ戸が戸口縦枠に強く当たるなどしても鎌金はレバースプリングの反発力に制止された状態にあり、その衝撃で鎌金が跳ね返って施錠が不完全になることはない。
すなわち、鎌金の施錠機構は掛止位置と中立位置との間で回動可能な鎌金に対して、回動するハンドルと連動して中立位置から掛止位置に駆動する機構を設け、それぞれの復帰スプリングの反発力の大きさを上記の関係に調整することによって構成される。
【００１４】
また、戸を開放するための機構は、上記の構成に加えて
中立位置にある鎌金と当接する位置と開放する位置との間で回動するロックレバーにその開放位置に復帰させるスプリングを設け、
戸先側框端面に突出したトリガーの押し込み位置においてロックレバーを押圧してその開放位置に回動する機構を設けてなるものである。
したがって、これらの作動機構からすれば、これらの各構成要素は格別上記の構造に限られるものではなく、同等に機能する公知若しくは周知の機構を設計上の工夫として適宜使用することができる。
例えば、上記トリガーによるロック機構について云えば、ロックレバーは鎌金に当接するロック位置と開放位置の間を移動すればよいから、直線上をスライド移動する構造であっても良く、また、ロックレバーの移動は戸口側縦枠との当接により生じる押し込み動作をスライド移動、すなわち直角方向に運動方向を変換すればよいから、種々の公知の機構を採用することができる。
上記の例においては、ハンドルにプッシャーを設けて重いサッシ戸の操作性を向上させているが、比較的軽量な戸などにおいてはこれらの機構は省略することができる。
また、適用対象もサッシ戸に限らず、窓や障子であってもよく、戸の構造もトリガーの作動機構とハンドル操作が上記の機構に沿って可能であれば引戸に限らず、ウイングタイプにも適用できることは明らかである。
【００１５】
以上から、本発明は、
戸を開閉する際のハンドル操作のみによって、戸の施錠・開錠を確実に行うことができ、屋内から施錠・開錠する形式のサッシ戸などにおける施錠のし忘れを解消し、またこれらの戸の開閉操作を簡単に行うことができる。
【産業上の利用可能性】
【００１６】
本発明の錠付引戸レバーハンドルは、環境保護に適し、省エネルギーを目指して普及しつつある二重ガラスなどの重量のある引戸において、小児や老齢者にも容易に操作でき、また防犯などセキュリティを確実に図ることができるものであり、近年の社会的要請に応えて普及することが期待される。
【図面の簡単な説明】
【００１７】
【図１】本発明の施錠機構を備えたレバーハンドルを操作して戸を開放する状態を示す部分断面図。
【図２】戸の開放した状態におけるレバーハンドルと施錠機構の関係を示す。
【図３】戸を閉めて施錠した状態におけるハンドルと施錠機構の関係を示す。
【図４】図２におけるＣ−Ｃ矢視図を示す。
【図５】図２におけるＢ−Ｂ矢視図を示す。
【図６】図２におけるＡ−Ａ矢視図を示す。
【符号の説明】
【００１８】
１    レバーハンドル
１０  ハンドル回動軸
１１  レバー（復帰）スプリング
２    プッシャー
２１  プッシャーローラー
２２  アーム
２３  フォーク
３    鎌金
３０  鎌金回動軸
３１  錠スプリング
３２  鎌金ストッパー
３３  鎌金ロックボルト
３５  ロックレバー
３６  ロックレバースプリング
４    トリガー
４１  案内長孔
４２  ガイドピン
５    錠ケース
【図１】
2005097866.tif 000003
【図２】
2005097866.tif 000004
【図３】
2005097866.tif 000005
【図４】
2005097866.tif 000006
【図５】
2005097866.tif 000007
【図６】
2005097866.tif 000008
【手続補正書】
【提出日】平成15年9月25日(2003.9.25)
【手続補正１】
【補正対象書類名】明細書
【補正対象項目名】００１１
【補正方法】変更
【補正の内容】
【００１１】
サッシ戸を閉めて施錠する場合は、図２の中立位置に保持されているレバーハンドルをつかんで、サッシ戸を図の左方向に移動して戸口縦枠に当接すれば、トリガー４が該縦枠端面に押し当てられることによって錠ケース内に押し込まれ、ロックレバー３５が反時計回りに回動して鎌金のロック状態を開放し、レバーハンドルに加えられている力とレバースプリングの反発力がアーム２２先端のフォーク２３からロックボルト３３を介して伝えられ、鎌金が反時計回りに回転して錠ケース戸先側端面から突出し、図３に示すように戸口縦枠側の掛け金（図示せず。）に掛け止めされる。
このとき鎌金に加わる力は、錠スプリング３１の反発力とロックボルトを介して伝えられるレバースプリング１１の反発力及びレバーハンドルの操作力であるが、錠スプリングの反発力はレバースプリングの反発力よりも小さく調整してあるため、鎌金はその掛止位置まで回動すると共に、レバーハンドルを操作しない限りその位置を保持し、サッシ戸は施錠された状態を保つことができる（図３）。
【手続補正２】
【補正対象書類名】明細書
【補正対象項目名】００１２
【補正方法】変更
【補正の内容】
【００１２】
図３に示す施錠された状態からサッシ戸を開放するには、レバーハンドルをつかんで
、図の右方向戸尻側に押せば、レバーハンドルは時計回りに傾動してレバーハンドルと連動するアーム２２先端のフォーク２３がロックボルト３３から離れ、レバースプリングの反発力から開放された鎌金はその錠スプリングの作用で時計回りに回動して掛け金から外れて開錠され、サッシ戸の移動を自由に行うことができるようになる。
図の例では、レバーハンドルと連動するプッシャー２が設けられており、レバーハンドルを操作することによって、プッシャー先端のプッシャーローラーが錠ケース戸先側端面から突出して戸口の縦枠端面を押しやり、その梃子の効果によりサッシ戸を移動する動作を起動させる。